(57)【要約】      （修正有）【課題】多種操作方式を変えることができる手工具を提供する。【解決手段】取っ手１０の一端に縦方向に沿って収納室が設けられ、取っ手１０の径方向に沿って収納室に連通する孔が設けられ、収容室の孔に第一嵌め付け部が設けられる。枢接部材２０は取っ手の収納室内に枢設され、一端に孔に相対する貫通孔が設けられ、貫通孔には第二嵌め付け部を備える。締め付け装置３０は取っ手の孔及び枢接部材の貫通孔に取り付けられると共に、第二嵌め付け部に組み合わせられる第三嵌め付け部を備え、第一位置と第二位置の間で移動し、第一位置にある場合、第三嵌め付け部と第二嵌め付け部は互いに嵌め付け、第二位置にある場合、第三嵌め付け部と第二嵌め付け部は離脱する。工具継ぎ手４０は枢接部材の第二嵌め付け部の一端に枢接される。【選択図】図１
0003147448.tif 000002
【実用新案登録請求の範囲】
【請求項１】
多種操作方式を変えることができる手工具であって、
一端に縦方向に沿って収納室が設けられ、かつ径方向に沿って前記収納室に連通する孔が設けられてある取っ手と、
前記取っ手の前記収納室内に枢設され、一端に孔に相対する貫通孔が設けられ、前記貫通孔には第二嵌め付け部を備える枢接部材と、
前記取っ手の孔及び前記枢接部材の貫通孔に取り付けられ、前記第二嵌め付け部に組み合わせられる第三嵌め付け部を備えると共に、第一位置と第二位置の間で移動し、前記第一位置にある場合、前記第三嵌め付け部と前記第二嵌め付け部が互いに嵌め付け、また、前記第二位置にある場合、前記第三嵌め付け部と前記第二嵌め付け部が離脱する締め付け装置と、
前記枢接部材の前記第二嵌め付け部の一端に枢接される工具継ぎ手と、を含むことを特徴とする、多種操作方式を変えることができる手工具。
【請求項２】
前記収納室の孔に相対して第一嵌め付け部が設けられ、前記締め付け装置の第三嵌め付け部は前記第一嵌め付け部内に設けられ、前記締め付け装置には脱落防止部材の取り付けに用いられる環溝を備え、前記取っ手の第一嵌め付け部には連接部が設けられると共に、弾性部材を前記連接部及び前記締め付け装置の間に取り付けることに用いられ、前記枢接部材の貫通孔の第一嵌め付け部の一側には案内面を備え、前記孔の外表面には凹陥を形成し、前記取っ手の収納室内には前記枢接部材を取り付けるための据え置き溝を備え、前記収納室内の据え置き溝両側には第一当て付け面と第二当て付け面を形成し、前記第二当て付け面は前記工具継ぎ手の当て付けに用いられることを特徴とする、請求項１記載の多種操作方式を変えることができる手工具。
【請求項３】
前記取っ手の収納室の一端には底座のねじ付けに用いられる収納溝を備え、前記底座内には数種の工具ヘッドが設けられ、前記工具継ぎ手にはラチェット環が取り付けられると共に、凹溝が設けられ、前記凹溝には前記ラチェット環を当て付ける当て付け部材と、前記当て付け部材と前記凹溝間に設けられる弾性部材が設けられ、前記ラチェット環内にはＣ形リングの取り付けに用いられる環凹溝が設けられてあることを特徴とする、請求項１記載の多種操作方式を変えることができる手工具。
【考案の詳細な説明】
【技術分野】
【０００１】
本考案は手工具に係り、特に多種操作方式を変えることができる手工具に関する。
【背景技術】
【０００２】
台湾特許第M279461号「工具回転柄の構造」公報を参照されたい。それの特徴は収納室内11に取っ手1を貫き通す孔13が設けられてある。嵌め止めユニット(unit)2は孔13内に設けられ、嵌め止めユニット2の一端には嵌め止め塊21が設けられてあることである。固定座3は取っ手1の収納室11内に固定され、固定座3には嵌め止めユニット2を押し付ける押し棒31が設けられ、折り曲げ柄4の他の一端には歯車42が設けられ、歯車42の周縁には嵌め止めユニット2の嵌め止め塊21がそれに嵌め止めるための嵌め溝43が設けられてある。この従来の回転柄は工具ヘッドを堅固に定位することができなく、嵌め止めユニット2はばねを用いて工具ヘッドを定位し、各角度に枢動することができるが、実用的でなく、L型に回転するだけに用途があり、上述欠点は実に改善する必要がある。
【特許文献１】台湾特許第M279461号公報
【考案の開示】
【考案が解決しようとする課題】
【０００３】
本考案が解決しようとする技術問題は、従来の回転柄は工具ヘッドを堅固に定位することができなく、それは各角度に枢動することができるが実用的でない点であり、これら欠点は実に改善する必要がある。
【課題を解決するための手段】
【０００４】
本考案は多種操作方式を変えることができる手工具であって、それは次のものを含む。取っ手、それの一端には縦方向に沿って収納室が設けられ、並びに取っ手の径方向に沿って収納室に連通する孔が設けられ、収容室の孔に相対して第一嵌め付け部が設けられてある。枢接部材、それは取っ手の収納室内に枢設され、それの一端には孔に相対する貫通孔が設けられ、貫通孔には第二嵌め付け部を備える。締め付け装置、それは取っ手の孔及び枢接部材の貫通孔に取り付けられ、それには第二嵌め付け部に組み合わせられる第三嵌め付け部を備え、それは第一位置と第二位置の間で移動し、それが第一位置にある場合、第三嵌め付け部と第二嵌め付け部は互いに嵌め付け、それが第二位置にある場合、第三嵌め付け部と第二嵌め付け部は離脱する。工具継ぎ手、それは枢接部材の第二嵌め付け部の異なる一端に枢接される。
【考案の効果】
【０００５】
本考案によれば、本考案は次のような効果がある。
１．本考案の「多種操作方式を変えることができる手工具」の締め付け装置は第一位置と第二位置の間で移動することができ、締め付け装置が第一位置にある場合、第三嵌め付け部と第二嵌め付け部は互いに嵌め付け、締め付け装置が第二位置にある場合、第三嵌め付け部と第二嵌め付け部は離脱し、これによって枢接部材と手工具の枢動関係を制御する。
【０００６】
２．本考案の「多種操作方式を変えることができる手工具」の締め付け装置には脱落防止部材及び弾性部材が取り付けられ、それによって締め付け装置には締め付け装置を第一位置へ押し付ける力を備える。
【０００７】
３．本考案の「多種操作方式を変えることができる手工具」の工具継ぎ手にはラチェット環が取り付けられ、並びにラチェット環と工具継ぎ手の間に当て止め部材と弾性部材が設けられ、それによってラチェット環は片方向だけに工具継ぎ手を駆動することができる。
【考案を実施するための最良の形態】
【０００８】
図１及び図２本考案の立体外観図及び立体分解図を参照ください。本考案は取っ手10、枢接部材20、締め付け装置30及び工具継ぎ手40を含む。
【０００９】
図２及び図３を参照ください。取っ手10の一端には収納室11が設けられ、かつ収納室11は取っ手10の一側に設けられ、取っ手10には別に収納室11に連通する孔12が設けられ、孔12の取っ手10表面には弧形の凹陥121が形成され、収納室11内の取っ手10の孔12個所の壁面には枢接部材20を取り付ける据え置き溝13が形成され、据え置き溝13の両側には第一当て付け面14及び第二当て付け面15が形成され、その二つの当て付け面14、15は工具継ぎ手40の当て付けに用いられる。収納室11の孔12に相対して第一嵌め付け部16が設けられ、第一嵌め付け部16内に連接部161を備える。取っ手10の収納室11の異なる一端には収納室11に連通しない収納溝17を備え、収納溝17の開口端には底座18とのねじ付けに用いられる内ねじ部171を備え、底部18には内ねじ部171にねじ付けられる外ねじ部181を備え、底座18内には数種類型の違う工具ヘッド183を収納する複数個の収納孔182が設けられる。
【００１０】
枢接部材20、それには環形の枢接端21を備え、並びに枢接端21の両側からU形に現れる二つの連接端22が延伸され、枢接端21には軸方向に貫通孔211が設けられ、並びに枢接端21の一側に案内面212が形成され、貫通孔211の内壁には環状の第二嵌め付け部213が設けられ、二つの連接端22にはそれぞれ開口が相対する孔221が設けられる。
【００１１】
締め付け装置30は取っ手10の孔12に設けられ、締め付け装置30は取っ手10の外側に突き出す押さえ部31を備え、押さえ部31には環溝311を備え、締め付け装置30の押さえ部31の異なる一端には第二嵌め付け部213に組み合わせられる第三嵌め付け部32を備え、締め付け装置30の第三嵌め付け部32の一端には軸方向に軸孔321が設けられ、締め付け装置30の第三嵌め付け部32は取っ手10に通されて第一嵌め付け部16内で互いに嵌め付け、締め付け装置30は取っ手10の連接部161と軸孔321の間に設けられてある弾性部材33、及び押さえ部31の環溝311に取り付けられてある脱落防止部材34によって締め付け装置30を取っ手10内に制限し、かつ弾性部材33は締め付け装置30に取っ手10外へ押し付ける力を提供する。
【００１２】
工具継ぎ手40は枢接部材20の連接端22に枢接し、工具継ぎ手40には枢接端41及び連接端42を備え、かつ前記枢接端41及び前記連接端42はそれぞれ工具継ぎ手40の両端に位置され、工具継ぎ手40の枢接端41には枢接孔411が設けられ、枢接端41は二つの枢接部材20の連接端22の間に設けられ、並びに軸43が枢接孔411及び二つの連接端22の孔221を通すことにより、工具継ぎ手40は枢接部材20と相対の枢動関係を生じることができる。
【００１３】
図４Ａと図４Ｂ及び図５Ａと図５Ｂを参照し、同時に図３を参照ください。締め付け装置30を押した場合、締め付け装置30の第三嵌め付け部32は枢接部材20の第二嵌め付け部213から離脱し、締め付け装置30の第三嵌め付け部32は取っ手10の第一嵌め付け部16に伸び入り、それによって枢接部材20は締め付け装置30の第三嵌め付け部32の嵌め付け固定を受けなくなり、取っ手10と相対の枢動関係が生じる。締め付け装置30は枢接部材20に嵌め付けられる第一位置及び枢接部材20に嵌め付けられない第二位置を備え、締め付け装置30が第一位置にある場合、第三嵌め付け部32は同時に第一嵌め付け部16及び第二嵌め付け部213に嵌め付け、それによって枢接部材20と取っ手10は相対の枢動を生じなくなり、締め付け装置30が第二位置にある場合、締め付け装置30は弾性部材33を圧縮し、第三嵌め付け部32と第二嵌め付け部213は嵌め付け固定しなくなり、枢接部材20と取っ手10は相対の枢動を生じることができる。
【００１４】
図６から図８を参照ください。一般状態時、工具継ぎ手40と取っ手10は一字形に現れ（図４Ａと図４Ｂに示す如く）、それは従来の形態であり、図７では工具継ぎ手40と取っ手10はL字形に現れ、それによって取っ手10と工具継ぎ手40にはやや長い施力アーム(arm)を備え、省力の効果が達成される。図８では工具継ぎ手40と取っ手10はT字形に現れ、それによって取っ手10と工具継ぎ手40は同時に時間節約と省力の効果を備える。本考案は枢接部材20の両端を用いてそれぞれ取っ手10と工具継ぎ手40を枢接し、それによって取っ手10と工具継ぎ手40はL字形及びT字形に変化することができる。
【００１５】
図９及び図10本考案の第二実施例を参照ください。第二実施例は概して第一実施例と同じであるが、それの特徴は工具継ぎ手50にはラチェット環53が取り付けられ、工具継ぎ手50は両端間に凹溝51が設けられ、凹溝51には欠け口511を備え、それは当て止め部材52及び当て止め部材52と欠け口511に取り付けられる弾性部材521をラチェット環53に当て付けることに用いられ、それによってラチェット環53は片方向だけに工具継ぎ手50を駆動することができ、かつラチェット環53内にはC型リング532の取り付けに用いられる環凹溝531を備える。
【図面の簡単な説明】
【００１６】
【図１】本考案の立体外観図である。
【図２】本考案の立体分解図である。
【図３】図２の継続であり、取っ手及び枢接部材の断面図である。
【図４Ａ】本考案図１の４ａ−４ａ断面線に沿って取った断面図である。
【図４Ｂ】本考案図１の４ｂ−４ｂ断面線に沿って取った断面図である。
【図５Ａ】本考案締め付け装置の作動状態図である。
【図５Ｂ】本考案図５Ａの別の視角の断面図である。
【図６】本考案の枢接部材及び工具継ぎ手の作動状態図である。
【図７】本考案の使用状態図であり、工具継ぎ手及び取っ手はL字形を現す。
【図８】本考案の使用状態図であり、工具継ぎ手及び取っ手はT字形を現す。
【図９】本考案の第二実施例の立体分解図であり、工具継ぎ手にラチェット環を備えることを表す。
【図１０】本考案の第二実施例の断面図である。
【符号の説明】
【００１７】
10      取っ手
11      収納室
12      孔
121     凹陥
13      据え置き溝
14      第一当て付け面
15      第二当て付け面
16      第一嵌め付け部
161     連接部
17      収納溝
171     内ねじ部
18      底座
181     外ねじ部
182     収納孔
183     工具ヘッド
20      枢接部材
21      枢接端
211     貫通孔
212     案内面
213     第二嵌め付け部
22      連接端
221     孔
30      締め付け装置
31      押さえ部
311     環溝
32      第三嵌め付け部
321     軸孔
33      弾性部材
34      脱落防止部材
40      工具継ぎ手
41      枢接端
411     枢接孔
42      連接端
43      軸
50      工具継ぎ手
51      凹溝
511     欠け口
52      当て止め部材
521     弾性部材
53      ラチェット環
531     環凹溝
532     C型リング
【図１】
0003147448.tif 000003
【図２】
0003147448.tif 000004
【図３】
0003147448.tif 000005
【図４Ａ】
0003147448.tif 000006
【図４Ｂ】
0003147448.tif 000007
【図５Ａ】
0003147448.tif 000008
【図５Ｂ】
0003147448.tif 000009
【図６】
0003147448.tif 000010
【図７】
0003147448.tif 000011
【図８】
0003147448.tif 000012
【図９】
0003147448.tif 000013
【図１０】
0003147448.tif 000014